(57)【要約】      （修正有）【課題】構造を単純化し、持ち運びの利便性を実現した脚立用トレイを提供する。【解決手段】脚立用トレイ１００は、トレイ１１０と、トレイの長さ方向における端部付近に設けられたアーム機構と、からなる。アーム機構は、トレイから上方に延びる第一部分と、第一部分の先端からトレイの長さ方向においてトレイの内側方向に延びる水平部分と、水平部分の先端からトレイの幅方向においてトレイの内側方向に延びるフック部分と、からなり、フック部分は脚立１０の最上面に形成された金具１４に対して係止可能である。【選択図】図２
0003186983.tif 000002
【実用新案登録請求の範囲】
【請求項１】
脚立に対して取り外し自在に前記脚立の横に取り付け可能な脚立用トレイであって、
物を置くことが可能なトレイと、
前記トレイの長さ方向における端部付近に設けられたアーム機構と、
からなり、
前記アーム機構は、
前記トレイから上方に延びる第一部分と、
前記第一部分の先端から前記トレイの長さ方向において前記トレイの内側方向に延びる水平部分と、
前記水平部分の先端から前記トレイの幅方向において前記トレイの内側方向に延びるフック部分と、
からなり、
前記フック部分は前記脚立の最上面に形成された金具に対して係止可能であることを特徴とする脚立用トレイ。
【請求項２】
前記第一部分は前記トレイに対して回動自在に取り付けられていることを特徴とする請求項１に記載の脚立用トレイ。
【請求項３】
前記アーム機構の各々の前記水平部分は１本のバーとして形成されていることを特徴とする請求項１に記載の脚立用トレイ。
【請求項４】
前記フック部分は前記水平部分の先端から下方向に延びていることを特徴とする請求項１または２に記載の脚立用トレイ。
【考案の詳細な説明】
【技術分野】
【０００１】
本考案は脚立に取り外し自在に取り付けることができる脚立用トレイに関する。
【背景技術】
【０００２】
脚立に昇って作業を行う場合に、脚立の近辺に工具類や材料類（例えば、塗装作業を行う場合の塗料缶など）を置くための脚立用トレイとして、特許第３６１７０２１号公報に記載されたものがある。
【０００３】
図５は同公報に記載された脚立用トレイ１の斜視図、図６は脚立用トレイ１の分解斜視図である。
【０００４】
脚立用トレイ１は、工具収納箱２と、ブラケット３と、蝶ナット４と、から構成されている。
【０００５】
工具収納箱２は、工具類９（図８参照）を収納するための収納部５ａを有する収納箱本体５と、ベース６と、から構成されており、収納箱本体５はネジ８を介してベース６に固定されている。
【０００６】
ブラケット３には取り付けボルト３ｂが溶接されている。ブラケット３は、取り付けボルト３ｂをベース６の側面６ｃに形成されている貫通孔６ｄに通し、側面６ｃの反対側において蝶ネジ４を取り付けボルト３ｂに螺合させることにより、ベース６に対して固定される。
【０００７】
図７は脚立用トレイ１を脚立１０に取り付ける状態を示す正面図である。
【０００８】
先ず、蝶ナット４を取り付けボルト３ｂに対して緩め、ブラケット３をベース６に対して回動自在の状態にする。
【０００９】
次いで、図７に示すように、ブラケット３を脚立１０の支柱１１の開脚角度に合わせて、脚立１０の上方から矢印Ａ方向にブラケット３を支柱１１に係合させる。
【００１０】
この後、蝶ナット４を取り付けボルト３ｂに対して締める。
【００１１】
以上により、脚立用トレイ１が脚立１０に取り付けられる。
【００１２】
図８は脚立用トレイ１の使用状況を示す斜視図である。
【００１３】
図８に示すように、脚立用トレイ１は脚立１０の最上面の横に取り付けられており、作業者１２は工具類９を収納箱本体５に置いて、作業を行うことが可能になる。
【先行技術文献】
【特許文献】
【００１４】
【特許文献１】特許第３６１７０２１号公報
【考案の開示】
【考案が解決しようとする課題】
【００１５】
しかしながら、上述した従来の脚立用トレイ１は構造的に複雑であるため、脚立１０への取り付けに時間を要するばかりでなく、製造コストの上昇が避けられない。さらに、部品点数が多いため全体的に重く、持ち運びの利便性に欠けるものであった。
【００１６】
本考案はこのような従来の脚立用トレイ１における問題点に鑑みてなされたものであり、構造を単純化することができ、持ち運びの利便性を実現することが可能な脚立用トレイを提供することを目的とする。
【課題を解決するための手段】
【００１７】
上記の目的を達成するため、本考案は、脚立に対して取り外し自在に前記脚立の横に取り付け可能な脚立用トレイであって、物を置くことが可能なトレイと、前記トレイの長さ方向における端部付近に設けられたアーム機構と、からなり、前記アーム機構は、前記トレイから上方に延びる第一部分と、前記第一部分の先端から前記トレイの長さ方向において前記トレイの内側方向に延びる水平部分と、前記水平部分の先端から前記トレイの幅方向において前記トレイの内側方向に延びるフック部分と、からなり、前記フック部分は前記脚立の最上面に形成された金具に対して係止可能であることを特徴とする脚立用トレイを提供する。
【００１８】
前記第一部分は前記トレイに対して回動自在に取り付けられていることが好ましい。
【００１９】
例えば、前記アーム機構の各々の前記水平部分は１本のバーとして形成することができる。
【００２０】
例えば、前記フック部分は前記水平部分の先端から下方向に延びているものとして構成することができる。
【考案の効果】
【００２１】
本考案に係る脚立用トレイは従来の脚立用トレイと比較して単純化された構造を有しており、かつ、従来の脚立用トレイよりも持ち運びが便利である。
【００２２】
さらに、本考案に係る脚立用トレイはフック部分を脚立の係合用金具に差し入れ、または、抜き取ることにより、脚立に対する着脱を行うことが可能であるため、従来の脚立用トレイと比較して、脚立用トレイを脚立に取り付ける時間及び脚立から取り外す時間並びにそのための作業量を低減することが可能である。
【図面の簡単な説明】
【００２３】
【図１】本考案の第一の実施形態に係る脚立用トレイの斜視図である。
【図２】本考案の第一の実施形態に係る脚立用トレイの使用状況を示す斜視図である。
【図３】本考案の第二の実施形態に係る脚立用トレイの斜視図である。
【図４】本考案の第三の実施形態に係る脚立用トレイの斜視図である。
【図５】従来の脚立用トレイの斜視図である。
【図６】図５に示した従来の脚立用トレイの分解斜視図である。
【図７】図５に示した従来の脚立用トレイを脚立に取り付ける状態を示す正面図である。
【図８】図５に示した従来の脚立用トレイの使用状況を示す斜視図である。
【図９】従来の脚立の部分的な斜視図である。
【図１０】図９に示す脚立を一平面内に延ばして梯子として使用する場合の部分的な正面図である。
【考案を実施するための形態】
【００２４】
（第一の実施形態）
図９は特開平８−２９１６７９号に記載されている脚立１０の部分的な斜視図である。
【００２５】
図９に示すように、脚立１０は二対の支柱１１を備えており、各対の支柱１１の間には複数のステップ１３が上下方向において等間隔に掛け渡されている。各支柱１１の最上位置のステップ１５上には縦断面が三角形状の金具１４が取り付けられている。金具１４は板状の部材を折り曲げてつくられており、内部は空洞である。
【００２６】
図１０は、脚立１０を一平面内に延ばして梯子として使用する場合の部分的な正面図である。
【００２７】
このように、脚立１０を梯子として使用する場合には、三角形状の金具１４が上下方向に重なり合うことにより、梯子としての安定性を確保している。
【００２８】
図１は本考案の第一の実施形態に係る脚立用トレイ１００の斜視図である。
【００２９】
本実施形態に係る脚立用トレイ１００は、トレイ１１０と、トレイ１１０の長さ方向Ｘにおける両端付近に設けられた一対のアーム機構１２０と、から構成されている。
【００３０】
トレイ１１０は長方形状のボードとして構成されており、トレイ１１０の幅方向Ｙにおける一方の側縁に沿って長方形状の切り欠き部１１１が形成されている。後述するように、脚立用トレイ１００を脚立１０に取り付ける場合には、切り欠き部１１１の内部に脚立１０が配置される。
【００３１】
トレイ１１０の幅方向Ｙにおける他方の側縁にはトレイ１１０の表面において凹部１１２が形成されている。凹部１１２には工具類や材料類を収納することが可能である。
【００３２】
アーム機構１２０は、トレイ１１０の表面から上方に延びる第一部分１２１と、第一部分１２１からトレイ１１０の幅方向Ｙにおける外側方向に延びる第二部分１２２と、第二部分１２２の先端からトレイ１１０の長さ方向Ｘにおいてトレイ１１０の内側方向に延びる水平部分１２３と、水平部分１２３の先端からトレイ１１０の幅方向Ｙにおいてトレイ１１０の内側方向に延びるフック部分１２４と、から構成されている。
【００３３】
図２は本実施形態に係る脚立用トレイ１００の使用状況を示す斜視図である。
【００３４】
図２に示すように、各フック部分１２４を脚立１０の最上面に設けられている各金具１４の空洞部に進入させる。これにより、脚立用トレイ１００は脚立１０の横に取り付けられる。作業者１２（図８参照）はトレイ１１０上に工具類や各種材料類を置いた状態で脚立１０に昇って作業を行うことができる。
【００３５】
脚立用トレイ１００を取り外す場合には、脚立用トレイ１００をトレイ１１０の幅方向Ｙに移動させ、フック部分１２４を金具１４から抜き取る。これにより、脚立用トレイ１００を脚立１０から取り外すことができる。
【００３６】
以上のように、本実施形態に係る脚立用トレイ１００は従来の脚立用トレイ１と比較して単純化された構造を有しており、かつ、従来の脚立用トレイ１よりも持ち運びが便利である。
【００３７】
さらに、本実施形態に係る脚立用トレイ１００はフック部分１２４の金具１４への挿入及び金具１４からの抜き取りを行うことにより、脚立１０に対する着脱を行うことが可能であるため、従来の脚立用トレイ１と比較して、取り付け及び取り外しの時間及び作業量を低減することが可能である。
【００３８】
本実施形態に係る脚立用トレイ１００は上記の構造に限定されるものではなく、種々の改変が可能である。
【００３９】
本実施形態に係る脚立用トレイ１００は一対のアーム機構１２０を備えるものとして構成されているが、トレイ１１０上に乗せる物が軽量である場合には、アーム機構１２０を一つのみ設けることも可能である。
【００４０】
また、本実施形態に係る脚立用トレイ１００においては、水平部分１２３の下方にトレイ１００が位置しているが、水平部分１２３とトレイ１１０の位置を同じ高さにしてもよく、あるいは、トレイ１１０の位置を水平部分１２３よりも高くすることも可能である。水平部分１２３とトレイ１１０との間の高さは第一部分１２１の高さを変更することにより変更可能であるので、必要に応じて、水平部分１２３とトレイ１１０との間の高さを変えることにより、脚立用トレイ１００を脚立１０に取り付けたときの脚立用トレイ１００の脚立１０に対する高さを変更することも可能である。
【００４１】
また、フック部分１２４の先端を平坦な板状に加工することにより、フック部分１２４を金具１４の空同部に挿入しやすくすることも可能である。
【００４２】
さらに、第一部分１２１を設ける位置を変更することにより、第二部分１２２を省略することも可能である。すなわち、第一部分１２１を水平部分１２３の端部（フック部分１２４が形成されている端部とは反対側の端部）の位置に設けることにより、水平部分１２３は第一部分１２１に対して直接的に連結されることになるので、第二部分１２２の形成を省くことが可能である。
【００４３】
また、本実施形態に係る脚立用トレイ１００においては、第一部分１２１をトレイ１１０に対して回動自在に取り付けることが可能である。
【００４４】
この場合、本実施形態に係る脚立用トレイ１００は以下のようにして使用される。
【００４５】
最初に、各フック部分１２４がトレイ１１０の切り欠き部１１１から離れる方向Ｃに各第一部分１２１を回動させる。
【００４６】
次いで、脚立用トレイ１００を脚立１０の横に保持した状態において、各第一部分１２１をＣ方向とは反対の方向に回動させ、各フック部分１２４を脚立１０の金具１４の空洞部に進入させる。
【００４７】
これにより、脚立用トレイ１００を脚立１０に対して取り付けることができる。
【００４８】
脚立用トレイ１００を脚立１０から取り外す場合には、各フック部分１２４をＣ方向とは反対の方向に回動させ、各フック部分１２４を脚立１０の金具１４の空洞部から抜き取る。
【００４９】
なお、フック部分１２４を金具１４の空洞部に代えて脚立１０の支柱１１（図９参照）に係合させることにより、脚立用トレイ１００を脚立１０に取り付けることも可能である。フック部分１２４を支柱１１に取り付けることにより、金具１４が設けられていない脚立１０に対しても脚立用トレイ１００を取り付けることが可能になる。
【００５０】
（第二の実施形態）
図３は本考案の第二の実施形態に係る脚立用トレイ２００の斜視図である。
【００５１】
本実施形態に係る脚立用トレイ２００においては、各アーム機構１２０の各水平部分１２３は一本のバー２２３として形成されている。この点を除いて、本実施形態に係る脚立用トレイ２００は第一の実施形態に係る脚立用トレイ１００と同一の構造を有している。
【００５２】
このように、水平部分１２３を各アーム機構１２０において個々に設けず、各アーム機構１２０に共通する一本のバー２２３として形成することにより、アーム機構１２０の部品点数を減らすことができる。
【００５３】
本実施形態に係る脚立用トレイ２００によっても第一の実施形態に係る脚立用トレイ１００と同一の効果を奏する。
【００５４】
（第三の実施形態）
図４は本考案の第三の実施形態に係る脚立用トレイ３００の斜視図である。
【００５５】
本実施形態に係る脚立用トレイ３００は、第一の実施形態に係る脚立用トレイ１００と比較して、フック部分３３０が延びる方向が異なっている。この点を除いて、本実施形態に係る脚立用トレイ３００は第一の実施形態に係る脚立用トレイ１００と同一の構造を有している。
【００５６】
本実施形態に係る脚立用トレイ３００においては、各フック部分３３０は水平部分１２３の先端から下方に延びている。このため、本実施形態に係る脚立用トレイ３００は脚立１０のステップ１３に引っ掛けて取り付けることが可能である。従って、第一の実施形態に係る脚立用トレイ１００において第一部分１２１をトレイ１１０に対して回動自在に設けた場合と同様に、金具１４が設けられていない脚立１０に対しても脚立用トレイ３００を取り付けることが可能である。
【符号の説明】
【００５７】
１００  本考案の第一の実施形態に係る脚立用トレイ
１１０  トレイ
１１１  切り欠き部
１１２  凹部
１２０  アーム機構
１２１  第一部分
１２２  第二部分
１２３  水平部分
１２４  フック部分
２００  本考案の第二の実施形態に係る脚立用トレイ
２２３  バー
３００  本考案の第三の実施形態に係る脚立用トレイ
３３０  フック部分
【図１】
0003186983.tif 000003
【図２】
0003186983.tif 000004
【図３】
0003186983.tif 000005
【図４】
0003186983.tif 000006
【図５】
0003186983.tif 000007
【図６】
0003186983.tif 000008
【図７】
0003186983.tif 000009
【図８】
0003186983.tif 000010
【図９】
0003186983.tif 000011
【図１０】
0003186983.tif 000012